(57)【要約】【課題】ボトムまたはジャケットのような上着類を構成する生地の収縮率の違いを応用して着易さを改善すると共に、従来にない立体的フォルムを得ることができるようになしたボトムまたはジャケットなどの上着類を提供する。【解決手段】ボトム１を構成するフロントパーツ（前身頃）２に防縮加工若しくは生地洗い後乾燥させてそれ以上殆んど縮まない生地を使用すると共に、バックパーツ（後身頃）３に生機（きばた）あるいは生地洗いによって収縮する収縮特性を有する生地を使用して縫製する。当該縫製後に全体を洗って乾燥を施すことによりバックパーツ３が収縮して後ろ側に少し湾曲した状態となるようにした。【選択図】図１
0003183995.tif 000002
【実用新案登録請求の範囲】
【請求項１】
ボトムを構成するフロントパーツ（前身頃）に防縮加工若しくは生地洗い後乾燥させてそれ以上殆んど縮まない生地を使用すると共に、バックパーツ（後身頃）に生機（きばた）あるいは生地洗いによって収縮する収縮特性を有する生地を使用して縫製し、当該縫製後に全体を洗って乾燥を施すことによりバックパーツが収縮して後ろ側に少し湾曲した状態となるようにしたことを特徴とするボトム。
【請求項２】
ジャケットのような上着類における袖部を構成する山袖側に生機（きばた）あるいは生地洗いによって収縮する収縮特性を有する生地を使用すると共に、谷袖側に防縮加工若しくは生地洗い後乾燥させてそれ以上殆んど縮まない生地を使用して縫製し、当該縫製後に全体を洗って乾燥を施すことにより山袖側が収縮して前方向に少し湾曲した状態となるようにしたことを特徴とする上着類。
【請求項３】
ボトムまたは上着類がデニム生地のような比較的厚手の織布によって構成されている請求項１または請求項２に記載のボトムまたは上着類。
【考案の詳細な説明】
【技術分野】
【０００１】
本考案は被服に係り、さらに詳細にはボトムまたはジャケットのような上着類を構成する生地の収縮率の違いを有効に利用して着易さを改善すると共に、従来にない立体的フォルムを得ることができるようになしたボトムまたはジャケットのような上着類に関するものである。
【背景技術】
【０００２】
コットン素材や麻素材を用いた織布の場合、洗濯・乾燥を繰り返すと元の寸法より５〜１０％収縮することが知られている。
【０００３】
そのため、従来は、縫製に際して防縮加工を施した織布を用いたり、あらかじめ洗濯・乾燥によって寸法変化を安定させた状態の織布を用いてボトムやジャケット等の上着類を縫製するようにしている。
【０００４】
その結果、縫製品に立体感を期待することができず、その全体的フォルムはきわめて変化に乏しいものとなっていた。
【０００５】
また、デニム生地のように素材が綿の厚地織布の場合、着用した状態での屈伸動作に少なからず抵抗を生ずることがある。
【０００６】
下記の特許文献１に示されたズボンにおいては、前身頃布と後身頃布を共に非伸縮性布を用いて縫製すると共に、当該前身頃布の膝部に一定大きさ寸法の方形状をなした膝あて布を当設し、当該膝あて布の両側縁部から凡そ直交する内方へ向かって一定長のダーツを複数本設けて、膝部周辺に緩やかな膨らみを形成させて膝の屈伸運動に対応できるようにしている。
【先行技術文献】
【特許文献】
【０００７】
【特許文献１】実用新案登録第３０７５１８９号公報
【考案の概要】
【考案が解決しようとする課題】
【０００８】
前記したように、洗濯・乾燥によって元の寸法が変化するのを防ぐため、これまでの縫製品の殆んどは、防縮加工を施した織布を用いたり、あるいは綿布や麻布など素材をあらかじめ洗濯および熱乾燥などによって寸法変化を安定させた状態で使用するようにしている。
【０００９】
そのため、完成されたボトムなどの縫製品は平面的なものにならざるを得ず、変化に乏しく、消費者の多様な趣味感に対応することができないという問題点があった。
【００１０】
また、厚手のデニム素材を用いたボトムの場合、着座姿勢が継続すると血流を阻害したり、ストレスが増すといった問題点があった。
このような問題点を解決するため、従来は前記した特許文献１に示すように、複数本のダーツを設けたあて布をボトムの前身頃布の膝部に縫着して膝の屈伸運動などを楽に行えるようにしている。
【００１１】
しかしながら、このようなあて布はデザイン上好ましくなく、消費者の興味を惹くことができない。
【００１２】
そこで、本考案はボトムまたはジャケットのような上着類を構成する生地の収縮率の違いを応用して着易さを改善すると共に、従来にない立体的フォルムを得ることができるようになしたボトムまたはジャケットなどの上着類を提供することを目的とするものである。
【課題を解決するための手段】
【００１３】
上記課題を解決するための本考案の構成を詳述すれば、請求項１に係る考案は、ボトムを構成するフロントパーツ（前身頃）に防縮加工若しくは生地洗い後乾燥させてそれ以上殆んど縮まないようにした生地を使用すると共に、バックパーツ（後身頃）に生機（きばた）あるいは生地洗いによって収縮する収縮特性を有する生地を使用して縫製し、当該縫製後に全体を洗って乾燥を施すことによりバックパーツが収縮して後ろ側に少し湾曲した状態となるようにしたことを特徴とするボトムである。
【００１４】
また、請求項２に係る考案は、ジャケットのような上着類における袖部を構成する山袖側に生機（きばた）あるいは生地洗いによって収縮する収縮特性を有する生地を使用すると共に、谷袖側に防縮加工若しくは生地洗い後乾燥させてそれ以上殆んど縮まない生地を使用して縫製し、当該縫製後に全体を洗って乾燥を施すことにより山袖側が収縮して前方向に少し湾曲した状態となるようにしたことを特徴とする上着類である。
【００１５】
さらに、請求項３に係る考案は、ボトムまたはジャケットのような上着類がデニム生地のような比較的厚手の織布によって構成されている請求項１または請求項２に記載のボトムまたは上着類である。
【考案の効果】
【００１６】
本考案に係るボトムは上記のように、フロントパーツに防縮加工若しくは生地洗い後乾燥させてそれ以上殆んど縮まないようにした生地を使用し、且つバックパーツに生機あるいは生地洗いによって収縮する収縮特性を有する生地を使用しているので、当該縫製後に全体を洗って乾燥を施すと、フロントパーツは殆んど縮まないのに対し、バックパーツは５〜１０％の範囲で収縮する。従って、バックパーツは後ろ側に少し湾曲して立体感を生じ、これまでにないフォルムをボトムに賦与することができる。
【００１７】
本考案に係るボトムを穿いた場合、バックパーツがフロントパーツより縮んで自然に後ろ側に少し湾曲しているので着座姿勢が続いたとしても従来品よりは血流を阻害することが少なくなりストレスを緩和し、過労の軽減にも繋がる。
従って、職業ドライバーやバイクライダーなどには特に有効である。
【００１８】
また、本考案に係るジャケットのような上着類の場合、山袖側に生機あるいは生地洗いによって収縮する収縮特性を有する生地を使用し、且つ谷袖側に防縮加工若しくは生地洗い後乾燥させてそれ以上殆んど縮まない生地を使用しているので、当該縫製後に全体を洗って乾燥を施すと、山袖側が谷袖側より５〜１０％の範囲で収縮して前方向に少し湾曲した立体状態となり、従来にない独自のシルエットをジャケットのような上着類に賦与することができる。
【００１９】
本考案に係るジャケットのような上着類を着用した場合、腕の上げ下げがきわめてスムーズとなり、運動性に優れた袖部を具備した上着類となる。
【００２０】
本考案による諸効果は、デニム生地のような比較的厚手の綿織布によって縫製されるボトムおよび上着類に応用した場合に最大となる。
なお、上着類にはジャケットの他、ジャンパー、ブルゾン、パーカなど袖部を具備した殆んど全ての上着が含まれるのは云うまでもない。
【図面の簡単な説明】
【００２１】
【図１】本考案に係るボトムの一実施形態を示す説明図であり、図１（Ａ）はフロントパーツとバックパーツを縫製したままの状態を示し、図１（Ｂ）は縫製後に洗い熱乾燥を施した状態を示す。
【図２】本考案に係るデニム素材のボトムの実例を示す説明図で、バックパーツが縮んで後ろ側に湾曲した状態となっている。
【図３】従来のデニム素材のボトムの実例を示す説明図である。
【図４】本考案に係る上着類の一実施形態を示す説明図である。
【考案を実施するための形態】
【００２２】
以下、本考案に係るボトムまたは上着類の具体的構成を図示の実施形態に基づき詳細に説明する。
【００２３】
図１において、１はボトムの全体を示すもので、当該ボトム１は、フロントパーツ（前身頃）２と、バックパーツ（後身頃）３を具備している。
フロントパーツ２は公知の防縮加工を施すか、あるいは生地洗い後熱乾燥させてそれ以上収縮しない生地を使用している。一方、バックパーツ３は生機状態のものを使用するか、または生地を洗い乾燥させることによって収縮する収縮特性を有する生地を使用している。
【００２４】
図１（Ａ）に示すように、フロントパーツ２とバックパーツ３を所定の縫着ラインに沿って縫着した状態のボトム１は平面的で従来型ボトムと何ら変わるところはない。
【００２５】
そして、図１（Ａ）に示す縫製品であるボトム１を洗ってから熱乾燥を施すと、図１（Ｂ）に示すようにバックパーツ３が約１０％近く縮んで後ろ側に湾曲し、立体的なボトム１に仕上がる。
【００２６】
図３に示すように、従来のデニム素材のボトム１０の場合、フロントパーツとバックパーツは同じ収縮率となっているので、洗濯・乾燥を繰り返しても、フロントパーツとバックパーツに寸法変化は何ら現れない。
【００２７】
しかしながら、本考案に係るボトム１の場合は、洗濯乾燥によってバックパーツ３のみが収縮する結果、図２に示すように、バックパーツ３が弓なり状に変化してボトム１全体に立体的フォルムを生起させている。
【００２８】
なお、図示の実施形態では、フロントパーツとバックパーツに同じコットン素材を用いるようにしているが、完成品の風合いに影響を与えない範囲で、バックパーツのみコットン素材の生機を用い、フロントパーツにコットン素材以外の元々収縮しない特性を有する布地を用いるようにして、前記したフォルムをボトムに賦与することも可能であり、このような応用例も当然、本考案の範囲に含まれるものである。
【００２９】
次に、図４において、５はジャケットの全体を示し、６は当該ジャケット５における筒状に縫製された袖部の全体を示す。７は当該袖部６を構成する山袖であり、８は当該山袖７の下側に位置する谷袖である。
【００３０】
本考案に係るジャケット５においては、前記山袖７側に生機を使用するか、あるいは生地を洗うことによって収縮する収縮特性を有する生地を使用すると共に、谷袖８側に防縮加工若しくは生地洗い後乾燥させてそれ以上殆んど縮まない生地を使用して縫製したものであり、当該縫製後にジャケット５の全体を洗って乾燥させると、図４に示すように山袖７側の生地が収縮して前方向に少し湾曲した状態となり、ジャケットの袖部６に立体感が賦与されるものである。
【００３１】
本考案に係るジャケットによった場合は、山袖側が谷袖側と較べて収縮して前方向に弓なりに湾曲した状態となっているので腕の上げ下げ動作が従来になく楽になる。
【００３２】
以上のように、本考案は、生地、特にコットン素材の収縮率の違いを応用して着易さを改善したものであり、カジュアル用のみならず、スポーツ用ボトムおよび上着類に展開することができると共に、これまでにない斬新な立体的フォルムを得ることができる。
【符号の説明】
【００３３】
１：ボトム
２：フロントパーツ（前身頃）
３：バックパーツ（後身頃）
５：ジャケット（上着類）
６：袖部
７：山袖
８：谷袖
【図１】
0003183995.tif 000003
【図２】
0003183995.tif 000004
【図３】
0003183995.tif 000005
【図４】
0003183995.tif 000006